(57)【要約】      （修正有）【課題】広告スケジュールを決定する作業を効率化する処理装置、処理方法及びプログラムを提供する。【解決手段】処理装置は、広告の引き合い毎に、広告枠の割当条件を対応付けて記憶する記憶手段と、割当条件が所定の条件を満たす引き合いを抽出し、抽出した引き合いに広告枠を配分する割当手段と、を有する。割当条件は、広告の放送期間を含み、割当手段は、放送期間の少なくとも一部が処理対象期間に含まれる引き合いを抽出し、抽出した引き合いに処理対象期間内の広告枠を配分する。【選択図】図２
2019144634.tif 000002
【特許請求の範囲】
【請求項１】
広告の引き合い毎に、広告枠の割当条件を対応付けて記憶する記憶手段と、
前記割当条件が所定の条件を満たす前記引き合いを抽出し、抽出した前記引き合いに前記広告枠を配分する割当手段と、
を有する処理装置。
【請求項２】
請求項１に記載の処理装置において、
前記割当条件は、広告の放送期間を含み、
前記割当手段は、前記放送期間の少なくとも一部が処理対象期間に含まれる前記引き合いを抽出し、抽出した前記引き合いに前記処理対象期間内の前記広告枠を配分する処理装置。
【請求項３】
請求項１又は２に記載の処理装置において、
前記割当手段は、前記引き合いに優先順位を付し、抽出した前記引き合いの中の前記優先順位が高い前記引き合いに優先的に前記広告枠を配分する処理装置。
【請求項４】
請求項３に記載の処理装置において、
前記割当手段は、第１の前記引き合いの広告主の過去の前記引き合いに対する前記優先順位又は前記広告枠の割当内容に基づき、前記第１の引き合いの前記優先順位を決定する処理装置。
【請求項５】
請求項１から４のいずれか１項に記載の処理装置において、
前記割当手段は、前記引き合い毎に前記割当条件の達成率を決定し、前記達成率を満たすように、抽出した前記引き合いに前記処理対象期間内の前記広告枠を配分する処理装置。
【請求項６】
請求項５に記載の処理装置において、
前記割当手段は、第２の前記引き合いの広告主の過去の前記引き合いに対する前記広告枠の割当内容に基づき、前記第２の引き合いの前記達成率を決定する処理装置。
【請求項７】
請求項１から６のいずれか１項に記載の処理装置において、
前記割当条件を満たさない前記引き合いをリスト化した第１のリストを出力する出力手段を有する処理装置。
【請求項８】
請求項７に記載の処理装置において、
前記割当条件では、放送時間帯、放送曜日、ＧＲＰ（gross rating point）、放送期間内のＧＲＰの配分方法、及び、前後の番組の条件の中の少なくとも一部の項目が指定され、
前記出力手段は、前記引き合い毎に前記割当条件を満たさない前記項目、又は、達成率が基準値に満たない前記項目を示した前記第１のリストを出力する処理装置。
【請求項９】
請求項８に記載の処理装置において、
前記出力手段は、前記引き合い毎に前記割当条件を満たさない前記項目の達成率を示した前記第１のリストを出力する処理装置。
【請求項１０】
請求項７から９のいずれか１項に記載の処理装置において、
前記割当条件では、放送時間帯、放送曜日、ＧＲＰ、放送期間内のＧＲＰの配分方法、及び、前後の番組の条件の中の少なくとも一部の項目が指定され、
前記出力手段は、前記引き合い毎に前記割当条件を満たす前記項目、又は、達成率が基準値に達する前記項目を示した前記第１のリストを出力する処理装置。
【請求項１１】
請求項１０に記載の処理装置において、
前記出力手段は、前記引き合い毎に前記割当条件を満たす前記項目の達成率を示した前記第１のリストを出力する処理装置。
【請求項１２】
請求項７から１１のいずれか１項に記載の処理装置において、
前記割当条件では、放送時間帯、放送曜日、ＧＲＰ、放送期間内のＧＲＰの配分方法、及び、前後の番組の条件の中の少なくとも一部の項目が指定され、
前記出力手段は、前記第１のリストに含まれる前記引き合いの広告主の過去の前記引き合い毎に、前記割当条件を満たす前記項目及び前記割当条件を満たさない前記項目の少なくとも一方を示した過去実績を出力する処理装置。
【請求項１３】
請求項３又は４に記載の処理装置において、
前記放送期間の少なくとも一部が前記処理対象期間に含まれる前記引き合いの一部または全部を指定し、指定した前記引き合いの少なくとも一部に前記割当手段が付した前記優先順位と異なる前記優先順位を付し、指定した前記引き合いの残りに前記割当手段が付した前記優先順位と同じ前記優先順位を付し、指定した前記引き合いの中の前記優先順位が高い前記引き合いに優先的に前記広告枠を配分する再割当手段を有する処理装置。
【請求項１４】
請求項５又は６に記載の処理装置において、
前記放送期間の少なくとも一部が前記処理対象期間に含まれる前記引き合いの一部または全部を指定し、指定した前記引き合いの少なくとも一部に前記割当手段が付した前記達成率と異なる前記達成率を付し、指定した前記引き合いの残りに前記割当手段が付した前記達成率と同じ前記達成率を付し、前記達成率を満たすように、指定した前記引き合いに前記処理対象期間内の前記広告枠を配分する再割当手段を有する処理装置。
【請求項１５】
コンピュータが、
広告の引き合い毎に、広告枠の割当条件を対応付けて記憶し、
前記割当条件が所定の条件を満たす前記引き合いを抽出し、抽出した前記引き合いに前記広告枠を配分する割当工程を実行する処理方法。
【請求項１６】
コンピュータを、
広告の引き合い毎に、広告枠の割当条件を対応付けて記憶する記憶手段、
前記割当条件が所定の条件を満たす前記引き合いを抽出し、抽出した前記引き合いに前記広告枠を配分する割当手段、
として機能させるプログラム。
【発明の詳細な説明】
【技術分野】
【０００１】
本発明は、処理装置、処理方法及びプログラムに関する。
【背景技術】
【０００２】
特許文献１に、広告を流すスケジュールを決める作業負担を軽減する情報処理装置が開示されている。当該情報処理装置は、広告を識別する広告識別情報を、広告に求められる広告効果を示す広告条件に対応付けて取得する広告条件取得手段と、広告を流す複数の日時の組合せの基本データである複数の基本スケジュールと、当該基本スケジュールに基づいて広告を複数回流した時の広告効果を示す広告結果とを互いに対応付けて記憶する基本スケジュール記憶手段に接続し、広告条件及び広告結果に基づいて、基本スケジュール記憶手段から基本スケジュールを読み出す基本スケジュール読出手段と、を備える。
【先行技術文献】
【特許文献】
【０００３】
【特許文献１】特開２０１３−１８７７４６号公報
【発明の概要】
【発明が解決しようとする課題】
【０００４】
従来、広告スケジュールの決定作業においては、引き合いが入ってくるとその都度、時間取りを行っていた。この場合、「後に入ってきた優先度の高い引き合いのために、先に入ってきた引き合いの広告枠を他の広告枠に変更し、空けた広告枠を優先度の高い引き合いに割り当てる」、「後に優先度の高い引き合いが入ってくることを想定し、所定の広告枠を埋めずに開けておく」等の面倒な調整が必要になる。本発明は、広告スケジュールを決定する作業を効率化することを課題とする。
【課題を解決するための手段】
【０００５】
本発明によれば、
広告の引き合い毎に、広告枠の割当条件を対応付けて記憶する記憶手段と、
前記割当条件が所定の条件を満たす前記引き合いを抽出し、抽出した前記引き合いに前記広告枠を配分する割当手段と、
を有する処理装置が提供される。
【０００６】
また、本発明によれば、
コンピュータが、
広告の引き合い毎に、広告枠の割当条件を対応付けて記憶し、
前記割当条件が所定の条件を満たす前記引き合いを抽出し、抽出した前記引き合いに前記広告枠を配分する割当工程を実行する処理方法が提供される。
【０００７】
また、本発明によれば、
コンピュータを、
広告の引き合い毎に、広告枠の割当条件を対応付けて記憶する記憶手段、
前記割当条件が所定の条件を満たす前記引き合いを抽出し、抽出した前記引き合いに前記広告枠を配分する割当手段、
として機能させるプログラムが提供される。
【発明の効果】
【０００８】
本発明によれば、広告スケジュールを決定する作業を効率化することができる。
【図面の簡単な説明】
【０００９】
【図１】本実施形態の処理装置のハードウエア構成の一例を示す図である。
【図２】本実施形態の処理装置の機能ブロック図の一例を示す図である。
【図３】本実施形態の処理装置の処理の流れの一例を示すフローチャートである。
【図４】本実施形態の処理装置の処理内容を説明するための図である。
【図５】本実施形態の処理装置が処理する情報の一例を模式的に示す図である。
【図６】本実施形態の処理装置が処理する情報の一例を模式的に示す図である。
【図７】本実施形態の処理装置が処理する情報の一例を模式的に示す図である。
【図８】本実施形態の処理装置の処理内容を説明するための図である。
【図９】本実施形態の処理装置の処理内容を説明するための図である。
【図１０】本実施形態の処理装置が処理する情報の一例を模式的に示す図である。
【図１１】本実施形態の処理装置の機能ブロック図の一例を示す図である。
【図１２】本実施形態の処理装置が出力する情報の一例を模式的に示す図である。
【図１３】本実施形態の処理装置が出力する情報の一例を模式的に示す図である。
【図１４】本実施形態の処理装置が出力する情報の一例を模式的に示す図である。
【図１５】本実施形態の処理装置が出力する情報の一例を模式的に示す図である。
【図１６】本実施形態の処理装置が出力する情報の一例を模式的に示す図である。
【図１７】本実施形態の処理装置の機能ブロック図の一例を示す図である。
【発明を実施するための形態】
【００１０】
＜第１の実施形態＞
まず、本実施形態の概要を説明する。本実施形態の処理装置は、広告スケジュールの決定作業に利用される。処理装置は、従来の手法、すなわち広告の引き合い（以下、単に「引き合い」という場合がある）がある都度、引き合い毎に（引き合い単位で）広告枠の割当処理を行う手法と異なる手法で広告枠の割り当てを行う。具体的には、処理装置は、引き合いを蓄積しておき、所定のタイミングで一度に複数の引き合いに広告枠の割り当てを行う。すなわち、処理装置は、引き合い群毎に（引き合い群単位で）広告枠の割り当てを行う。
【００１１】
このような処理装置によれば、「後に入ってきた優先度の高い引き合いのために、先に入ってきた引き合いの広告枠を他の広告枠に変更し、空けた広告枠を優先度の高い引き合いに割り当てる」、「後に優先度の高い引き合いが入ってくることを想定し、所定の広告枠を埋めずに開けておく」等の面倒な調整を回避できる。
【００１２】
次に、処理装置の構成を詳細に説明する。まず、処理装置のハードウエア構成の一例について説明する。本実施形態の処理装置が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１３】
図１は、本実施形態の処理装置のハードウエア構成を例示するブロック図である。図１に示すように、処理装置は、プロセッサ１Ａ、メモリ２Ａ、入出力インターフェイス３Ａ、周辺回路４Ａ、バス５Ａを有する。周辺回路４Ａには、様々なモジュールが含まれる。処理装置は周辺回路４Ａを有さなくてもよい。
【００１４】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit）やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００１５】
次に、処理装置の機能構成を説明する。図２に、処理装置１０の機能ブロック図の一例を示す。図示するように、処理装置１０は、記憶部１１と、割当部１２とを有する。
【００１６】
記憶部１１は、広告の引き合い毎に、広告枠の割当条件を対応付けて記憶する。広告は、テレビやラジオで放送される広告である。
【００１７】
割当条件は、広告の放送期間を含む。割当条件は、その他、放送時間帯、放送曜日、ＧＲＰ（gross rating point）、放送期間内のＧＲＰの配分方法、前後の番組の条件、及び、基準号数の中の少なくとも一部の項目が指定されてもよい。
【００１８】
放送期間内のＧＲＰの配分方法は、例えば、「だんだん減らす」、「だんだん増やす」、「初日（又は初日から○日間）に大きくし、他の期間は平坦」、「最終日（又は最終日を含む最後の○日間）に大きくし、他の期間は平坦」、「土日祝で○割以上」、「前半（又は後半）で○割以上」等が例示されるが、これらに限定されない。
【００１９】
前後の番組の条件は、回避する番組属性、又は、希望する番組属性が指定される。回避する番組又は希望する番組属性は、例えば番組のジャンル、出演者等で指定されてもよい。
【００２０】
基準号数は、ＧＲＰの基準となる番組視聴率の週を指定するものである。号数は、１月１日の週を１号として、１週間毎に１号ずつ増える。
【００２１】
なお、割当条件は、ＣＰＭ（cost per mille）を含んでもよい。しかし、ＣＰＭはＧＲＰと等価と考えられるので、ＧＲＰを割当条件に含める本実施形態ではＣＰＭを割当条件に含めていない。
【００２２】
割当部１２は、所定のタイミングで記憶部１１に蓄積されている引き合いの中から割当条件が所定の条件を満たす引き合いを抽出し、抽出した複数の引き合いに広告枠を配分する。
【００２３】
すなわち、本実施形態の処理装置１０は、引き合いがある都度、引き合い毎に（引き合い単位で）広告枠の割り当てを行うのでなく、引き合いを蓄積しておき（記憶部１１）、所定のタイミングで割当条件が所定の条件を満たす引き合いを抽出し、抽出した複数の引き合いに一度に広告枠の割り当てを行う（割当部１２）。すなわち、処理装置１０は、引き合い群毎に（引き合い群単位で）広告枠の割り当てを行う。
【００２４】
次に、図３のフローチャートを用いて、処理装置１０の処理の流れの一例を説明する。当該フローとは別に、処理装置１０は、入力された引き合いを、引き合い毎に広告枠の割当条件と対応付けて記憶する（記憶部１１）。
【００２５】
そして、所定のタイミングで、割当部１２は、記憶部１１に記憶されている引き合いの中から、割当条件が所定の条件を満たす引き合いを抽出する（Ｓ１０）。そして、割当部１２は、Ｓ１０で抽出した引き合いに広告枠を配分する（Ｓ１１）。
【００２６】
以上説明した本実施形態の処理装置１０によれば、引き合いがある都度、引き合い毎に（引き合い単位で）広告枠の割当処理を行うのでなく、引き合いを蓄積しておき、所定のタイミングで一度に複数の引き合いに広告枠の割り当てを行う。すなわち、処理装置１０は、引き合い群毎に（引き合い群単位で）広告枠の割り当てを行う。
【００２７】
このような処理装置１０によれば、「後に入ってきた優先度の高い引き合いのために、先に入ってきた引き合いの広告枠を他の広告枠に変更し、空けた広告枠を優先度の高い引き合いに割り当てる」、「後に優先度の高い引き合いが入ってくることを想定し、所定の広告枠を埋めずに開けておく」等の面倒な調整を回避できる。
【００２８】
＜第２の実施形態＞
本実施形態の処理装置１０は、引き合い群に広告枠を配分する処理がより具体化される点で、第１の実施形態と異なる。以下、本実施形態の処理装置１０の構成を詳細に説明する。
【００２９】
本実施形態の処理装置１０のハードウエア構成の一例は、第１の実施形態と同様である。
【００３０】
本実施形態の処理装置１０の機能ブロック図の一例は、第１の実施形態同様、図２で示される。図示するように、処理装置１０は、記憶部１１と、割当部１２とを有する。記憶部１１の構成は、第１の実施形態と同様である。
【００３１】
割当部１２は、処理対象期間毎に、広告スケジュールを決定する。具体的には、割当部１２は、割当条件で示される放送期間の少なくとも一部が処理対象期間に含まれる引き合いを抽出する。そして、割当部１２は、抽出した引き合いに処理対象期間内の広告枠を配分する。
【００３２】
処理対象期間の定め方は、例えば、処理対象期間の長さは１週間とし、１週間ずつずらしながら処理対象期間を定めてもよい。例えば、２０１８年１月１日〜１月７日を１つの処理対象期間とし、２０１８年１月８日〜１月１４日を次の処理対象期間とし、２０１８年１月１５日〜１月２１日を次の処理対象期間という具合に定めてもよい。なお、処理対象期間の長さは１週間に限定されない。
【００３３】
次に、図４を用いて、引き合い抽出処理の概念を説明する。図示する引き合いＡの割当条件の放送期間は２０１８年１月２日〜８日であり、引き合いＢの割当条件の放送期間は２０１８年１月３日〜９日であり、引き合いＣの割当条件の放送期間は２０１８年１月５日〜１１日である。なお、引き合いＡ乃至Ｃは、記憶部１１に記憶されている引き合いである。
【００３４】
そして、図示する例では、２０１８年１月４日〜６日が処理対象期間として指定されている。この場合、割当部１２は、放送期間の少なくとも一部が処理対象期間に含まれる引き合いＡ乃至Ｃを抽出する。
【００３５】
次に、抽出した引き合いに処理対象期間内の広告枠を配分する処理を説明する。割当部１２は、引き合いに優先順位を付し、抽出した引き合いの中の優先順位が高い引き合いに優先的に広告枠を配分することができる。また、割当部１２は、引き合い毎に割当条件の達成率（目標）を決定し、達成率（目標）を満たすように、抽出した引き合いに処理対象期間内の広告枠を配分することができる。
【００３６】
なお、本実施形態において割当条件の達成率は、達成率（目標）及び達成率（結果）の概念が存在する。達成率（目標）は、各引き合いに広告枠を配分する際に目標とする達成率である。一方、達成率（結果）は、各引き合いに広告枠を配分した内容における達成率の結果を示す。
【００３７】
達成率（達成率（目標）及び達成率（結果）の両方を含む）は、例えば次のように定義される。ＧＲＰの場合、「各引き合いに割り当てたＧＲＰ」を「各引き合いの割当条件のＧＲＰ」で割ることで算出される。例えば、引き合いＡの割当条件のＧＲＰが１２０％であり、引き合いＡに割り当てたＧＲＰが１４０％であり場合、達成率は約１１７％となる。
【００３８】
また、番組種別、時間帯等の場合、「各引き合いに割り当てた広告枠のうち、番組種別や時間帯等が割当条件を満たす広告枠の数」を「各引き合いに割り当てた広告枠の数」で割ることで算出される。例えば、引き合いＡに割り当てた広告枠の数が１０であり、その中の引き合いＡの割当条件を満たす広告枠の数が８である場合、達成率は８０％となる。
【００３９】
以下、図面を用いて、優先順位や達成率（目標）を考慮して、抽出した引き合いに処理対象期間内の広告枠を配分する処理の具体例を説明する。
【００４０】
図５は、引き合い毎に定められる割当条件の一例を模式的に示す。図示する割当条件の中の「優先順位」は、放送局が指定する。その他の項目は、広告主が指定する。
【００４１】
放送局は、広告のジャンル、広告主との関係、広告主の過去の引き合いにおける広告枠の割当内容等を考慮して、各引き合いに優先順位を付すことができる。本実施形態では、優先順位はＡ乃至Ｃの３段階とするが、これに限定されない。なお、優先順位Ａが最も優先順位が高く、次に優先順位が高いのが優先順位Ｂで、最も優先順位が低いのが優先順位Ｃとする。
【００４２】
図６は、優先順位毎に定められる割当条件の達成率（目標）を示す。達成率（目標）は、項目ごとに定められている。図では、優先順位Ａの引き合いにおいては、ＧＲＰの達成率（目標）が１００％、番組種別の達成率（目標）が８０％、時間帯の達成率（目標）が７０％であることが示されている。なお、図示する達成率（目標）はあくまで一例であり、これに限定されない。
【００４３】
図７は、広告枠の空き状況を示す。図では、２０１８年１月１日の「０４００Ｓ」の広告枠は１２０秒空いていることが示されている。ちなみに、「０４００」は番組の開始時刻（４時００分）を示す。「Ｓ」は、番組と番組の間に放送される広告枠を示す。すなわち、「０４００Ｓ」は、４時００分に開始される番組と、その直前に終了した番組との間に放送される広告枠である。「Ｔ」は、番組中に放送される広告枠を示す。すなわち、「０４３０Ｔ」は、４時３０分に開始される番組の間に放送される広告枠である。
【００４４】
まず、割当部１２は、各引き合いの割当条件に基づき、引き合い毎に、放送期間内の各日で達成するＧＲＰを仮決定する。図８に、仮決定後の一例を示す。図では、引き合いＡに対応して、２０１８年１月２日〜８日の各日に達成するＧＲＰとして、順に、２０％、２５％、３０％、３５％、４０％、４５％、５０％が仮決定されている。以下、仮決定の手法を説明するが、これに限定されない。
【００４５】
まず、割当部１２は、各引き合いの割当条件で示されるＧＲＰ（図５参照）及び各引き合いのＧＲＰの達成率（目標）に基づき、各引き合いに割り当てるＧＲＰ（目標）を決定する。例えば、割当条件で示されるＧＲＰの内の達成率（目標）分のＧＲＰを、各引き合いに割り当てるＧＲＰ（目標）として決定する。
【００４６】
その後、割当部１２は、各引き合いに割り当てるＧＲＰ（目標）を、各引き合いの放送期間内の各日に割り振る。例えば、割当部１２は、均等に各日にＧＲＰ（目標）を割り振ってもよい。その他、割当部１２は、各引き合いの割当条件で示される配分方法を満たすように、各日にＧＲＰ（目標）を割り振ってもよい。この場合、配分方法毎に、ＧＲＰ（目標）の配分アルゴリズムが予め定められており、割当部１２はそのアルゴリズムに基づき、各日にＧＲＰ（目標）を割り振ってもよい。
【００４７】
次いで、割当部１２は、処理対象期間内の日毎に、各日に各引き合いに割り振られたＧＲＰを足し合わせることで、処理対象期間内の各日に必要となるＧＲＰを算出する（図８に示す「当初必要ＧＲＰ」）。
【００４８】
その後、割当部１２は、処理対象期間内の各日における空いている広告枠のＧＲＰを足し合わせた「空きのＧＲＰ」から「当初必要ＧＲＰ」を引くことで、「ＧＲＰ差」を算出する。ＧＲＰ差がプラスの場合はＧＲＰが足りており（すなわち、広告枠が足りている）、ＧＲＰ差がマイナスの場合はＧＲＰが足りていない（すなわち、広告枠が足りていない）ことを示す。
【００４９】
その後、割当部１２はＧＲＰの不足分を調整する。すなわち、割当部１２は、ＧＲＰが足りていない日が存在する場合、不足分のＧＲＰを、処理対象期間内の他の日に割り振る。図示する例では、２０１８年１月６日のＧＲＰが１５％不足しており、この不足分を２０１８年１月４日に割り振っている。割り振りのルールは設計的事項である。
【００５０】
次いで、割当部１２は、図示する「補正後必要ＧＲＰ」及び「按分率」を算出する。
【００５１】
補正後必要ＧＲＰは、ＧＲＰの不足分を調整した後に、処理対象期間内の各日に必要となるＧＲＰである。２０１８年１月４日は、当初必要ＧＲＰ「５０％」と、２０１８年１月６日からまわってきた（つまり、割り振られた）ＧＲＰ「１５％」との和である「６５％」が、補正後必要ＧＲＰとなる。２０１８年１月５日は、不足分の調整に関わっていないので、当初必要ＧＲＰ及び補正後必要ＧＲＰいずれも「７５％」となっている。２０１８年１月６日は、当初必要ＧＲＰ「８０％」から、２０１８年１月４日にまわしたＧＲＰ「１５％」を引いた「６５％」が、補正後必要ＧＲＰとなる。
【００５２】
按分率は、「補正後必要ＧＲＰ」を「当初必要ＧＲＰ」で割った値である。
【００５３】
次いで、割当部１２は、按分率を用いて、引き合い毎に仮決定した「放送期間内の各日で達成するＧＲＰ」を補正する。具体的には、図９に示すように、仮決定した放送期間内の各日で達成するＧＲＰ（図示する「日別ＧＲＰ（仮）」に、各日の按分率を掛けた値（図示する「日別ＧＲＰ（決定）」）を算出する。なお、図９は、図８に示す情報の中から、引き合いＡの処理対象期間内の各日の情報を抽出して示している。日別ＧＲＰ（決定）が、各引き合いにおいて、処理対象期間内の各日で達成するＧＲＰ（目標）となる。
【００５４】
以上により、割当部１２は、抽出した引き合い毎に、処理対象期間内の各日で達成するＧＲＰ（目標）を決定することができる。
【００５５】
次に、割当部１２は、決定した「各引き合いが処理対象期間内の各日で達成するＧＲＰ（目標）」を満たすように、処理対象期間内の広告枠を抽出した引き合いに配分する。
【００５６】
例えば、割当部１２は、優先順位が高い引き合いに優先的に広告枠を配分してもよい。すなわち、割当部１２は、優先順位の高い引き合いから順に処理対象とし、処理対象とした引き合いに対して、処理対象期間内の各日で達成するＧＲＰ（目標）に達するように広告枠を割り当ててもよい。また、割当部１２は、各引き合いの他の割当条件の達成率（目標）を満たすように、各引き合いに広告枠を割り当ててもよい。なお、優先順位が同じ引き合いに対して処理対象とする順番を定める方法は設計的事項である。このようにすれば、優先順位が高い引き合いを処理対象とした時に残っている広告枠は、優先順位が低い引き合いを処理対象とした時に残っている広告枠よりも多くなる。結果、優先順位が高い引き合いに対して優先的に、有利な広告枠（割当条件を満たす広告枠）を割り当てることができる。結果、優先順位が高い引き合いにおける割当条件の達成率（結果）を、優先順位が低い引き合いにおける割当条件の達成率（結果）よりも高くすることができる。
【００５７】
以上説明した本実施形態の処理装置１０によれば、第１の実施形態の処理装置１０と同様な作用効果を実現できる。また、本実施形態の処理装置１０によれば、優先順位が高い引き合いにおける割当条件の達成率（結果）を、優先順位が低い引き合いにおける割当条件の達成率（結果）よりも高くすることができる。結果、優先順位が高い引き合いに優先的に割当条件を満たすように広告枠を割り当てることができる。
【００５８】
ここで、本実施形態の変形例を説明する。上記例では、人間が、各引き合いの優先順位を決定した。変形例では、処理装置１０が各引き合いの優先順位を決定してもよい。
【００５９】
この場合、割当部１２は、ある引き合い（第１の引き合い）の広告主の過去の引き合いに対する優先順位又は広告枠の割当内容（割当条件の達成率（結果））に基づき、第１の引き合いの優先順位を決定してもよい。
【００６０】
例えば、過去の引き合いの優先順位が所定条件を満たす場合、今回の引き合いの優先順位を基準レベルより高くしてもよい。ここでの所定条件は、例えば、「直近の引き合いの優先順位が基準レベルより低い」、「直近数回の引き合いのうちの○○％以上において、優先順位が基準レベルより低い」等が例示されるが、これらに限定されない。このようにすれば、過去に優先順位を低くさせてもらったので、今回は優先順位を高くするという調整が実現される。
【００６１】
また、過去の引き合いの優先順位が他の所定条件を満たす場合、今回の引き合いの優先順位を基準レベルより低くしてもよい。ここでの他の所定条件は、例えば、「直近の引き合いの優先順位が基準レベルより高い」、「直近数回の引き合いのうちの○○％以上において、優先順位が基準レベルより高い」等が例示されるが、これらに限定されない。このようにすれば、過去に優先順位を高くしたので、今回は優先順位を低くさせてもらうという調整が実現される。
【００６２】
また、過去の引き合いの広告枠の割当内容が所定条件を満たす場合、今回の引き合いの優先順位を基準レベルより高くしてもよい。ここでの所定条件は、例えば、「直近の引き合いの割当条件の達成率（結果）が基準レベル（例：達成率（結果）８０％以上の項目が８０％以上）より低い」、「直近数回の引き合いうちの○○％以上において、割当条件の達成率（結果）が基準レベル（例：達成率（結果）８０％以上の項目が８０％以上）より低い」等が例示されるが、これらに限定されない。このようにすれば、過去に達成率（結果）を低くさせてもらったので、今回は優先順位を高くするという調整が実現される。
【００６３】
また、過去の引き合いの広告枠の割当内容が他の所定条件を満たす場合、今回の引き合いの優先順位を基準レベルより低くしてもよい。ここでの他の所定条件は、例えば、「直近の引き合いの割当条件の達成率（結果）が基準レベル（例：達成率（結果）８０％以上の項目が８０％以上）より高い」、「直近数回の引き合いうちの○○％以上において、割当条件の達成率（結果）が基準レベル（例：達成率（結果）８０％以上の項目が８０％以上）より高い」等が例示されるが、これらに限定されない。このようにすれば、過去に達成率（結果）を高くしたので、今回は優先順位を低くさせてもらうという調整が実現される。
【００６４】
他の変形例を説明する。上記例では、放送局が各引き合いの優先順位を指定し、指定された優先順位と予め定められたルール（図６参照）とに基づき、割当条件の達成率（目標）が決定された。変形例では、放送局は、優先順位に関係なく、引き合い毎に割当条件の達成率（目標）を指定できてもよい（図１０参照）。
【００６５】
優先順位に関係なく各引き合いの割当条件の達成率（目標）を指定する構成の変形例として、処理装置１０が各引き合いの割当条件の達成率（目標）を決定してもよい。
【００６６】
この場合、割当部１２は、ある引き合い（第２の引き合い）の広告主の過去の引き合いに対する広告枠の割当内容（割当条件の達成率（結果））に基づき、第２の引き合いの優先順位を決定してもよい。
【００６７】
例えば、過去の引き合いの広告枠の割当内容が所定条件を満たす場合、今回の引き合いの達成率（目標）を基準レベル（例：達成率（目標）８０％以上の項目が８０％以上）より高くしてもよい。ここでの所定条件は、例えば、「直近の引き合いの達成率（結果）が基準レベル（例：達成率（結果）８０％以上の項目が８０％以上）より低い」、「直近数回の引き合いのうちの○○％以上において、達成率（結果）が基準レベル（例：達成率（結果）８０％以上の項目が８０％以上）より低い」等が例示されるが、これらに限定されない。このようにすれば、過去に達成率（結果）を低くさせてもらったので、今回は達成率（目標）を高くするという調整が実現される。
【００６８】
また、過去の引き合いの広告枠の割当内容が他の所定条件を満たす場合、今回の引き合いの達成率（目標）を基準レベル（例：達成率（目標）８０％以上の項目が８０％以上）より低くしてもよい。ここでの所定条件は、例えば、「直近の引き合いの達成率（結果）が基準レベル（例：達成率（結果）８０％以上の項目が８０％以上）より高い」、「直近数回の引き合いのうちの○○％以上において、達成率（結果）が基準レベル（例：達成率（結果）８０％以上の項目が８０％以上）より高い」等が例示されるが、これらに限定されない。このようにすれば、過去に達成率（結果）を高くしたので、今回は達成率（目標）を低くさせてもらうという調整が実現される。
【００６９】
変形例によれば、例えば前回の優先順位や達成率（結果）が低かった広告主の引き合いに、高い優先順位や達成率（目標）を設定することができる。また、例えば前回の優先順位や達成率（結果）が高かった広告主の引き合いに、低い優先順位や達成率（目標）を設定することができる。このように、当該変形例よれば、過去の引き合いを考慮して、優先順位や達成率を調整することができる。かかる場合、ある広告主の引き合いは常に優先順位や達成率（目標）が低く、他のある広告主の引き合いは常に優先順位や達成率（目標）が高いという不都合を軽減できる。
【００７０】
＜第３の実施形態＞
処理装置１０により広告スケジュールが作成された後、放送局は、決定した内容を広告主に通知し、当該内容での合意を得る。割当条件を１００％満たすように広告枠を割り当てることができれば問題ないが、そうでない場合も存在し、このような場合には割当条件を完全には満たしていない割当内容を広告主に通知し、その内容での合意を得る必要がある。
【００７１】
本実施形態の処理装置１０は、上述のような合意を得る作業に利用される有益な情報を作成し、出力する機能を有する点で、第１及び第２の実施形態と異なる。以下、本実施形態の処理装置１０の構成を詳細に説明する。
【００７２】
本実施形態の処理装置１０のハードウエア構成の一例は、第１及び第２の実施形態と同様である。
【００７３】
本実施形態の処理装置１０の機能ブロック図の一例は、図１１で示される。図示するように、処理装置１０は、記憶部１１と、割当部１２と、出力部１３とを有する。記憶部１１及び割当部１２の構成は、第１及び第２の実施形態と同様である。
【００７４】
出力部１３は、割当条件を満たさない引き合いをリスト化した第１のリストを出力する。第１のリストに記載された引き合いは、少なくとも１つの項目において広告主の要望を完全には満たしていない（少なくとも１つの項目において達成率（結果）が１００％未満）引き合いである。このような引き合いは、広告主との間で交渉し、妥協点を探る必要がある。出力部１３は、このような交渉が必要な引き合いをリスト化して、出力することができる。放送局は、第１のリストに基づき、交渉が必要な引き合いを把握することができる。
【００７５】
また、出力部１３は、第１のリストにおいて、引き合い毎に割当条件を満たさない項目、又は、達成率（結果）が基準値（例：１００％、９０％、５０％等）に満たない項目を示してもよい。また、出力部１３は、第１のリストにおいて、これら項目の達成率（結果）を示してもよい。放送局は、このような第１のリストに基づき、割当条件を満たさない項目、すなわち広告主との間で交渉が必要な項目を把握することができる。また、放送局は、このような第１のリストに基づき、達成率（結果）が基準値に満たない項目、例えば達成率（結果）が著しく低い項目等を把握することができる。また、放送局は、このような第１のリストに基づき、各項目の状況（達成率（結果））を把握することができる。
【００７６】
また、出力部１３は、第１のリストにおいて、引き合い毎に割当条件を満たす項目、又は、達成率（結果）が基準値（例：１００％、１１０％、１３０％等）に達する項目を示してもよい。また、出力部１３は、第１のリストにおいて、これら項目の達成率（結果）を示してもよい。放送局は、このような第１のリストに基づき、交渉を有利に進めるために利用できる材料を把握することができる。達成率（結果）が高い項目の存在は、割当条件を満たさない他の項目の存在に納得してもらうための有利な材料となり得る。
【００７７】
図１２に、第１のリストの一例を模式的に示す。当該第１のリストでは、少なくとも１つの項目において割当条件を満たさない引き合い（少なくとも１つの項目において達成率（結果）が１００％未満の引き合い）を一覧表示している。また、割当条件を満たす項目及び満たさない項目各々の達成率（結果）を示している。
【００７８】
なお、図示しないが、割当条件を満たす項目（達成率（結果）が１００％以上の項目）を強調表示してもよい。また、達成率（結果）が基準値（１００％より大）より大きい項目を強調表示してもよい。
【００７９】
また、図示しないが、割当条件を満たさない項目（達成率（結果）が１００％未満の項目）を強調表示してもよい。また、達成率（結果）が基準値（１００％より小）より小さい項目を強調表示してもよい。
【００８０】
また、割当条件を満たす項目及び満たさない項目を識別可能に表示してもよい。割当条件を満たす項目及び満たさない項目を識別表示する手法は、文字の色を変える、各欄の背景の色を変える、一方の文字を強調表示する、一方を枠で囲む等が例示されるが、これらに限定されない。
【００８１】
図１３に、第１のリストの他の一例を模式的に示す。当該第１のリストでは、少なくとも１つの項目において割当条件を満たさない引き合いを一覧表示している。そして、当該第１のリストでは、引き合い毎に、各項目の達成率（目標）、各項目の達成率（結果）（交渉前達成率）、広告主と交渉して導き出した達成率の妥結値（交渉後妥結値）が示されている。なお、交渉前においては、交渉後妥結値の欄は空欄となる。そして、当該第１のリストでは、交渉前妥結値と交渉後妥結値とが異なる引き合いの項目を、枠Ｆで囲って強調表示している。これにより、広告主との交渉により、広告主及び放送局の一方が妥協した項目を把握できる。
【００８２】
なお、図示しないが、交渉前妥結値よりも交渉後妥結値が大きい項目を強調表示してもよい。これにより、広告主との交渉により、放送局が妥協した項目を把握できる。また、図示しないが、交渉後妥結値が１００％未満の項目を強調表示してもよい。これにより、広告主との交渉により、広告主が妥協した項目を把握できる。
【００８３】
図１４に、第１のリストの他の一例を模式的に示す。当該第１のリストでは、少なくとも１つの項目において割当条件を満たさない引き合いを一覧表示している。そして、当該第１のリストでは、引き合い毎に、取扱広告代理店が示されている。放送局は、このような第１のリストに基づき、交渉が必要な引き合いの取扱広告代理店を把握することができる。
【００８４】
図１５に、第１のリストの他の一例を示す。当該第１のリストでは、少なくとも１つの項目において割当条件を満たさない引き合いを一覧表示している。そして、引き合い毎に、各引き合いの割当条件（広告主が指定した割当条件（値））、及び、割当部１２が決定した割当内容における各項目の値及び達成率（結果）が示されている（交渉開始値）。そして、「広告主が指定した割当条件（値）」と「割当部１２が決定した割当内容における各項目の値」とが一致しない項目を枠Ｆで囲って強調表示している。放送局は、このような第１のリストに基づき、交渉が必要な項目や交渉を有利に進めるための材料となる項目等を把握することができる。
【００８５】
なお、図示しないが、「広告主が指定した割当条件（値）」の方が「割当部１２が決定した割当内容における各項目の値」より大きい項目と、「広告主が指定した割当条件（値）」の方が「割当部１２が決定した割当内容における各項目の値」より小さい項目とを、例えば枠の色を変える等により識別表示してもよい。すなわち、交渉が必要な項目と、交渉を有利に進めるための材料となる項目とを識別表示してもよい。
【００８６】
また、図示しないが、出力部１３は、広告主の過去の引き合い毎に、過去実績を出力してもよい。過去実績では、割当条件を満たす項目及び割当条件を満たさない項目の少なくとも一方が示されてもよい。
【００８７】
例えば、図１２乃至図１５は、ある処理対象期間に対応して抽出した引き合いの中の、少なくとも１つの項目において割当条件を満たさない引き合いを一覧表示したものとした。変形例として、図１２乃至図１５と同じフォーマットで、ある広告主の過去の引き合い（過去のすべての引き合い、直近所定期間内の引き合い）を一覧表示してもよい。放送局は、このような情報に基づき、各広告主の過去の引き合いに関する決定内容を把握することができる。そして、放送局は、当該情報を各広告主との交渉に用いたり、また、第１の実施形態で説明した優先順位の決定や達成率（目標）の決定における参考情報として用いたりできる。
【００８８】
また、出力部１３は、図１６に示すような割当結果を出力してもよい。図示する情報は、引き合い毎に出力される。図示する情報では、各引き合いに割り当てた広告枠が示されている。図示する斜線を入れた枠が、その引き合いに割り当てられた広告枠である。
【００８９】
以上説明した本実施形態の処理装置１０によれば、放送局に有益な情報を出力することができる。
【００９０】
＜第４の実施形態＞
本実施形態の処理装置１０は、広告スケジュールを作成した後、条件を変えて広告スケジュールを作成し直す機能を有する点で、第１乃至第３の実施形態と異なる。第３の実施形態で説明した通り、処理装置１０により広告スケジュールが作成された後、放送局は、決定した内容を広告主に通知し、当該内容での合意を得ることが求められる。そして、広告主の合意を得られない場合には、広告スケジュールの作成し直しが必要になる。本実施形態の処理装置１０は、例えば、このような広告スケジュールの作成し直しが必要になった場合に利用される。以下、本実施形態の処理装置１０の構成を詳細に説明する。
【００９１】
本実施形態の処理装置１０のハードウエア構成の一例は、第１乃至第３の実施形態と同様である。
【００９２】
本実施形態の処理装置１０の機能ブロック図の一例は、図１７で示される。図示するように、処理装置１０は、記憶部１１と、割当部１２と、出力部１３と、再割当部１４とを有する。なお、処理装置１０は、出力部１３を有さなくてもよい。記憶部１１、割当部１２及び出力部１３の構成は、第１乃至第３の実施形態と同様である。
【００９３】
再割当部１４は、割当条件が所定の条件を満たす引き合い（例：放送期間の少なくとも一部が処理対象期間に含まれる引き合い）の一部または全部を指定する。一部を指定する場合、例えば、優先順位が基準レベルより低い引き合いや、広告主との交渉（「決定した広告スケジュールを広告主に通知し、当該内容での合意を得る交渉」）がまだ終わっていない引き合い等を指定してもよい。後者の場合、各引き合いに対応付けて、広告主との交渉が終わっているか否かを示す情報が記憶されてもよい。なお、再割当部１４は、各引き合いに対応付けて管理されている情報（例：優先順位、広告主との交渉状況）に基づき引き合いを指定してもよい。その他、ユーザが一部引き合いを選択し、再割当部１４はユーザ入力に基づき引き合いを指定してもよい。
【００９４】
そして、再割当部１４は、指定した引き合いの少なくとも一部に割当部１２が付した優先順位と異なる優先順位を付す。また、再割当部１４は、指定した引き合いの残りに割当部１２が付した優先順位と同じ優先順位を付す。すなわち、再割当部１４は、割当部１２が決定した優先順位の内容と少なくとも一部が異なる内容を決定する。そして、再割当部１４は、指定した引き合いに割当部１２が割り当てた広告枠を、指定した引き合いに配分し直す。再割当部１４は、割当部１２と同様の手法で広告枠を配分できる。例えば、再割当部１４は、指定した引き合いの中の優先順位が高い引き合いに優先的に広告枠を配分してもよい。
【００９５】
なお、再割当部１４は、指定した引き合いの少なくとも一部に割当部１２が付した達成率（目標）と異なる達成率（目標）を付してもよい。また、再割当部１４は、指定した引き合いの残りに割当部１２が付した達成率（目標）と同じ達成率（目標）を付してもよい。すなわち、再割当部１４は、割当部１２が決定した達成率（目標）の内容と少なくとも一部が異なる内容を決定してもよい。そして、再割当部１４は、指定した引き合いに割当部１２が割り当てた広告枠を、指定した引き合いに配分し直す。再割当部１４は、割当部１２と同様の手法で広告枠を配分できる。例えば、再割当部１４は、達成率（目標）を満たすように、指定した引き合い広告枠を配分する。
【００９６】
以上説明した本実施形態の処理装置１０によれば、第１乃至第３の実施形態と同様な作用効果を実現できる。また、本実施形態の処理装置１０によれば、広告枠を再配分することができる。例えば、処理装置１０は、一部の引き合いを指定して、広告枠を再配分することができる。このような処理装置１０によれば、効率的に、広告スケジュールを作成し直すことができる。
【００９７】
なお、本実施形態の処理装置１０を用いた処理のスケジュールとしては、次のようなものが考えられる。すなわち、処理対象期間をＸ週とした場合、（Ｘ−２）週の終わりに広告スケジュールを作成し、（Ｘ−１）週に広告主との交渉及び広告スケジュールの作成し直しを行い、Ｘ週に放送するというものが考えられる。なお、当該スケジュールはあくまで一例であり、これに限定されない。
【００９８】
以下、参考形態の例を付記する。
１．  広告の引き合い毎に、広告枠の割当条件を対応付けて記憶する記憶手段と、
前記割当条件が所定の条件を満たす前記引き合いを抽出し、抽出した前記引き合いに前記広告枠を配分する割当手段と、
を有する処理装置。
２．  １に記載の処理装置において、
前記割当条件は、広告の放送期間を含み、
前記割当手段は、前記放送期間の少なくとも一部が処理対象期間に含まれる前記引き合いを抽出し、抽出した前記引き合いに前記処理対象期間内の前記広告枠を配分する処理装置。
３．  １又は２に記載の処理装置において、
前記割当手段は、前記引き合いに優先順位を付し、抽出した前記引き合いの中の前記優先順位が高い前記引き合いに優先的に前記広告枠を配分する処理装置。
４．  ３に記載の処理装置において、
前記割当手段は、第１の前記引き合いの広告主の過去の前記引き合いに対する前記優先順位又は前記広告枠の割当内容に基づき、前記第１の引き合いの前記優先順位を決定する処理装置。
５．  １から４のいずれかに記載の処理装置において、
前記割当手段は、前記引き合い毎に前記割当条件の達成率を決定し、前記達成率を満たすように、抽出した前記引き合いに前記処理対象期間内の前記広告枠を配分する処理装置。
６．  ５に記載の処理装置において、
前記割当手段は、第２の前記引き合いの広告主の過去の前記引き合いに対する前記広告枠の割当内容に基づき、前記第２の引き合いの前記達成率を決定する処理装置。
７．  １から６のいずれかに記載の処理装置において、
前記割当条件を満たさない前記引き合いをリスト化した第１のリストを出力する出力手段を有する処理装置。
８．  ７に記載の処理装置において、
前記割当条件では、放送時間帯、放送曜日、ＧＲＰ（gross rating point）、放送期間内のＧＲＰの配分方法、及び、前後の番組の条件の中の少なくとも一部の項目が指定され、
前記出力手段は、前記引き合い毎に前記割当条件を満たさない前記項目、又は、達成率が基準値に満たない前記項目を示した前記第１のリストを出力する処理装置。
９．  ８に記載の処理装置において、
前記出力手段は、前記引き合い毎に前記割当条件を満たさない前記項目の達成率を示した前記第１のリストを出力する処理装置。
１０．  ７から９のいずれかに記載の処理装置において、
前記割当条件では、放送時間帯、放送曜日、ＧＲＰ、放送期間内のＧＲＰの配分方法、及び、前後の番組の条件の中の少なくとも一部の項目が指定され、
前記出力手段は、前記引き合い毎に前記割当条件を満たす前記項目、又は、達成率が基準値に達する前記項目を示した前記第１のリストを出力する処理装置。
１１．  １０に記載の処理装置において、
前記出力手段は、前記引き合い毎に前記割当条件を満たす前記項目の達成率を示した前記第１のリストを出力する処理装置。
１２．  ７から１１のいずれかに記載の処理装置において、
前記割当条件では、放送時間帯、放送曜日、ＧＲＰ、放送期間内のＧＲＰの配分方法、及び、前後の番組の条件の中の少なくとも一部の項目が指定され、
前記出力手段は、前記第１のリストに含まれる前記引き合いの広告主の過去の前記引き合い毎に、前記割当条件を満たす前記項目及び前記割当条件を満たさない前記項目の少なくとも一方を示した過去実績を出力する処理装置。
１３．  ３又は４に記載の処理装置において、
前記放送期間の少なくとも一部が前記処理対象期間に含まれる前記引き合いの一部または全部を指定し、指定した前記引き合いの少なくとも一部に前記割当手段が付した前記優先順位と異なる前記優先順位を付し、指定した前記引き合いの残りに前記割当手段が付した前記優先順位と同じ前記優先順位を付し、指定した前記引き合いの中の前記優先順位が高い前記引き合いに優先的に前記広告枠を配分する再割当手段を有する処理装置。
１４．  ５又は６に記載の処理装置において、
前記放送期間の少なくとも一部が前記処理対象期間に含まれる前記引き合いの一部または全部を指定し、指定した前記引き合いの少なくとも一部に前記割当手段が付した前記達成率と異なる前記達成率を付し、指定した前記引き合いの残りに前記割当手段が付した前記達成率と同じ前記達成率を付し、前記達成率を満たすように、指定した前記引き合いに前記処理対象期間内の前記広告枠を配分する再割当手段を有する処理装置。
１５．  コンピュータが、
広告の引き合い毎に、広告枠の割当条件を対応付けて記憶し、
前記割当条件が所定の条件を満たす前記引き合いを抽出し、抽出した前記引き合いに前記広告枠を配分する割当工程を実行する処理方法。
１６．  コンピュータを、
広告の引き合い毎に、広告枠の割当条件を対応付けて記憶する記憶手段、
前記割当条件が所定の条件を満たす前記引き合いを抽出し、抽出した前記引き合いに前記広告枠を配分する割当手段、
として機能させるプログラム。
【符号の説明】
【００９９】
１Ａ    プロセッサ
２Ａ    メモリ
３Ａ    入出力Ｉ／Ｆ
４Ａ    周辺回路
５Ａ    バス
１０    処理装置
１１    記憶部
１２    割当部
１３    出力部
１４    再割当部
【図１】
2019144634.tif 000003
【図２】
2019144634.tif 000004
【図３】
2019144634.tif 000005
【図４】
2019144634.tif 000006
【図５】
2019144634.tif 000007
【図６】
2019144634.tif 000008
【図７】
2019144634.tif 000009
【図８】
2019144634.tif 000010
【図９】
2019144634.tif 000011
【図１０】
2019144634.tif 000012
【図１１】
2019144634.tif 000013
【図１２】
2019144634.tif 000014
【図１３】
2019144634.tif 000015
【図１４】
2019144634.tif 000016
【図１５】
2019144634.tif 000017
【図１６】
2019144634.tif 000018
【図１７】
2019144634.tif 000019